(57)【特許請求の範囲】
【請求項１】
板状モジュールの上面に当接可能、又は、板状モジュールの側面に形成された溝内に挿入可能とされ、左右方向へ延びた上片と、
該上片の中央から下方へ延出した軸部と、
該軸部の下端から両側へ前記上片よりも大きく延び、上側に板状モジュールの下面に当接可能な当接部を有した下片と、
該下片における前記軸部を挟んだ何れか一方側に形成され上下方向へ貫通した取付孔と
を少なくとも具備した固定部材であって、
該固定部材を、前記軸部に板状モジュールの側面を当接又は接近させた状態で、前記取付孔を介して前記下片を取付部材に取付けると、前記上片が下降して板状モジュールの上面又は溝の上部に当接すると共に、前記下片の前記当接部が板状モジュールの下面に当接するように形成したことを特徴とする固定部材。
【請求項２】
取付部材に取付ける前の状態では、前記下片の底面が、前記軸部の直下が最も高くなるように湾曲又は屈曲し、取付部材に取付けることで前記底面が取付部材に沿った状態に変形することを特徴とする請求項１に記載の固定部材。
【請求項３】
前記下片の前記軸部を挟んで両側に形成され上下方向へ貫通した貫通孔と、
該貫通孔へ下側から挿入され、前記取付孔を介して前記下片を取付部材に取付けると、上端が板状モジュールの下面に突き刺さる突刺部を有した補助固定部と
を更に具備することを特徴とする請求項１又は請求項２に記載の固定部材。
【発明の詳細な説明】
【技術分野】
【０００１】
本発明は、屋根上等に設置される太陽熱温水器や太陽電池モジュール等の板状モジュールを屋根上等に固定するための固定部材に関するものである。
【背景技術】
【０００２】
従来より、例えば、板状モジュールとしての太陽電池モジュールを、屋根上に設置固定するための固定部材としては、特許文献１に示すような、太陽電池モジュールにおける枠体の側面に形成された凹状の接合部内に挿入される被接合部と、被接合部の中央から垂下する軸部と、軸部の下端に接続され上面に太陽電池モジュールの枠体が載置される台座部と、を備えた固定部材が提案されている。
【０００３】
この固定部材によると、屋地板や屋根材等の取付部材に固定部材を取付けた状態で、固定部材の台座部及び被接合部に太陽電池モジュールの一端側の枠体を支持させ、太陽電池モジュールの他端側の枠体に別の固定部材を取付けた上で、その固定部材を取付部材へ取付けることで、太陽電池モジュールを屋根上等に固定することができる。従って、複数の太陽電池モジュールを一方側（軒側）から他方側（棟側）へ順次固定することができ、太陽電池モジュールの設置に係るコストを低減させることができる。
【０００４】
また、特許文献１のものでは、軸部を挟んで固定部材を取付部材へ取付ける部位とは反対側に爪状の被係合部を備えると共に、太陽電池モジュールの枠体に被係合部と係合する係合部を備えており、被係合部を係合部に係合させることで、軸部から遠ざかる方向へ枠体が移動するのを規制することができるようになっている。これにより、太陽電池モジュールを傾斜した屋根上等に設置した時に、太陽電池モジュールの棟側（上側）を支持する固定部材でも、軒側に配置された太陽電池モジュールが軒側（下側）へ移動するのを阻止することができるので、太陽電池モジュールの荷重を軒側と棟側の固定部材で夫々支持することができるようになっている。
【発明の概要】
【発明が解決しようとする課題】
【０００５】
しかしながら、特許文献１のような従来の固定部材では、太陽電池モジュールの枠体が固定部材の台座部と被接合部との間に挿入されているだけなので、それらの寸法公差によっては太陽電池モジュールがガタ付いたり、太陽電池モジュールが固定部材の延びた方向へスライドしてしまったりする虞があった。
【０００６】
また、特許文献１の固定部材では、爪状の被係合部を太陽電池モジュールの枠体に備えられた係合部と係合させるようにしているので、係合部を備えていない太陽電池モジュールでは、棟側の固定部材によって軒側の太陽電池モジュールの荷重を支持することができない問題があると共に、太陽電池モジュールを傾斜した屋根上等に設置する場合では、係合部を備えた太陽電池モジュールを用いる必要があり、汎用性の低いものとなっていた。
【０００７】
そこで、本発明は上記の実情に鑑み、太陽電池モジュール等の板状モジュールを確実に固定することができると共に汎用性の高い固定部材の提供を課題とするものである。
【課題を解決するための手段】
【０００８】
上記の課題を解決するために、本発明に係る固定部材は、「板状モジュールの上面に当接可能、又は、板状モジュールの側面に形成された溝内に挿入可能とされ、左右方向へ延びた上片と、該上片の中央から下方へ延出した軸部と、該軸部の下端から両側へ前記上片よりも大きく延び、上側に板状モジュールの下面に当接可能な当接部を有した下片と、該下片における前記軸部を挟んだ何れか一方側に形成され上下方向へ貫通した取付孔とを少なくとも具備した固定部材であって、該固定部材を、前記軸部に板状モジュールの側面を当接又は接近させた状態で、前記取付孔を介して前記下片を取付部材に取付けると、前記上片が下降して板状モジュールの上面又は溝の上部に当接すると共に、前記下片の前記当接部が板状モジュールの下面に当接するように形成した」ことを特徴とする。
【０００９】
ここで、「板状モジュール」としては、「板状の太陽電池パネルの外周を枠体で囲った太陽電池モジュール」、「太陽熱温水器パネル」、「太陽熱集熱パネル」、「防音パネル」、「遮光パネル」、等を例示することができる。
【００１０】
また、「下片」としては、「軸部から遠ざかるほど上下方向の厚さを厚くし、軸部から遠ざかった先端側の上部を当接部としたもの」、「軸部から遠ざかった先端側に上方へ突出した突出部を形成し、突出部を当接部としたもの」、等を例示することができる。
【００１１】
更に、「取付部材」としては、「屋根の表面を形成する屋根材」、「屋根材が取付けられる屋地板」、「屋根を形成するための垂木等の屋根構造部材」、「板状モジュールを設置する対象物に取付けられた長尺状の桟部材」、「板状モジュールを設置する対象物に取付けられた架台」、「板状モジュールを設置する対象物との間に介装された取付金具」、「壁面」、「壁面を構成するための胴縁」、等を例示することができる。
【００１２】
また、「取付孔を介して下片を取付部材に取付ける」とは、「下片の上側からボルトやビス等を取付孔に挿通し、ボルト等の頭により下片を取付部材側へ押え付けて取付ける」、「取付部材側から突出した雄ネジ部を、下片の下側から取付孔に挿通させ、下片の上側から雄ネジ部に螺合したナットにより下片を取付部材側へ押え付けて取付ける」、等を例示することができる。
【００１３】
更に、「板状モジュールの側面」とは、板状モジュールの一般的な側面や、一般的な側面から突出した端面を含むものである。また、「板状モジュールの側面を接近させた状態」とは、板状モジュールの側面を、上片の先端と軸部との間の中央よりも軸部寄りに位置させた状態であり、望ましくは、上片の先端と軸部との間の距離の１／４よりも軸部寄りに位置させた状態である。これにより、上片と下片の当接部とで板状モジュールを充分に挟持固定することができる。
【００１４】
また、「下片を取付部材に取付けると、上片が下降」とは、「下片の底面を湾曲又は屈曲させることで、軸部の直下が取付部材の上面から浮いた状態とし、下片を取付部材に取付けることで下片を変形させて、上片を下降させるもの」、「下片における軸部を挟んで取付孔とは反対側の先端のみが取付部材に当接するようにし、下片の底面が全体的に取付部材と沿うように取付けることで、上片を下降させるもの」、「下片の底面の両端付近に下方へ突出した突起を備えることで軸部の直下が取付部材の上面から浮いた状態とし、下片を取付部材に取付けることで下片を変形させて、上片を下降させるもの」、等を例示することができる。
【００１５】
これにより、固定部材における軸部を挟んで取付孔とは反対側の上片と下片との間に板状モジュールを挿入すると共に、板状モジュールの側面を軸部に当接又は接近させた状態で、固定部材を屋根材等の取付部材に載置し、下片に形成された取付孔を介してビスやボルト、ナット等により下片を取付部材に取付けると、軸部と共に上片が下降して上片と下片の当接部とで板状モジュールを上下方向に挟んで固定することができるので、板状モジュールがガタ付いたり、固定部材の延びる方向へスライドしてしまったりするのを防止することができ、板状モジュールを確実に固定することができる。
【００１６】
また、上片よりも下片が大きく延び出しているので、固定部材を取付部材へ取付けた状態で、軸部を挟んで取付孔側の上片と下片との間に板状モジュールを斜めにしながら挿入して押し込むことで、軸部を挟んで取付孔側でも板状モジュールを挟んで固定することができる。従って、この固定部材によると、軸部を挟んで両側に板状モジュールを固定することができるので、複数の板状モジュールを一方側から他方側へ順次固定することができ、板状モジュールの設置に係る手間を簡略化することができると共に、設置に係るコストを低減させることができる。
【００１７】
更に、上述したように、固定部材の上片と下片の当接部とで板状モジュールを挟んで固定することができるので、板状モジュールを傾斜させた状態で設置する場合でも、板状モジュールの上下両側を夫々固定した固定部材によって、板状モジュールの荷重を支持することができ、一方の固定部材のみに荷重が偏るのを抑制して偏荷重により固定部材が変形したり破損したりするのを防止することができる。
【００１８】
また、固定部材の上片と下片の当接部とで板状モジュールを挟んで固定するようにしているので、特許文献１に記載された太陽電池モジュールの枠体のように固定部材と係合するための係合部を備えていなくても、挟める形態の板状モジュールであれば固定部材によって確実に固定することができ、汎用性の高い固定部材とすることができると共に、特別な板状モジュールを用いる必要がなく、一般的な（市販の）板状モジュールを用いることができ、板状モジュールによるシステム全体に係るコストを低減させることができる。
【００１９】
ところで、特許文献１では、太陽電池モジュールの枠体における係合部と、固定部材における爪状の被係合部とを、互いに係合させることで、太陽電池モジュールの枠体が軸部から離れる方向（軒側の方向）へ移動するのを規制するようにしている。この場合、太陽電池モジュールの重量によっては係合を強くする必要があり、係合を強くすることで、枠体の側面に対して直角方向から固定部材を挿入嵌合させ難くなり、作業性が悪くなる虞がある。しかしながら、本発明の固定部材によると、特許文献１のもののような爪状の被係合部を備えていないので、板状モジュールの側面に対して直角方向から固定部材を簡単に挿入嵌合させることができ、作業性を良くすることができる。
【００２０】
なお、固定部材は、取付孔を、軸部に対して可及的に近い位置に形成することが望ましく、これにより、取付孔を介して（通して）ビスやボルト、ナット等により下片を取付部材に取付けた時の上片による板状モジュールの固定強度を高くすることができ、板状モジュールをより確実に固定することができる。また、下片の上面に、取付孔を介して固定部材を取付部材に取付けるためのビスやボルト等の頭部、ナット等を収容可能な凹部を形成するようしても良く、これにより、ボルト等の頭部が板状モジュールと当接するのを回避させることができるので、取付孔を可及的に軸部に近付けることができる。
【００２１】
本発明に係る固定部材は、上記の構成に加えて、「取付部材に取付ける前の状態では、前記下片の底面が、前記軸部の直下が最も高くなるように湾曲又は屈曲し、取付部材に取付けることで前記底面が取付部材に沿った状態に変形する」構成としても良い。
【００２２】
これにより、固定部材における下片の底面を、軸部の直下が最も高くなるように湾曲又は屈曲させており、固定部材を取付部材上に置いた状態（取付ける前の状態）では、軸部の直下に隙間が形成された状態となる。その状態で取付孔を介して取付部材に取付けることで、下片が変形して底面が取付部材に沿った状態となり軸部の直下の隙間がなくなるので、隙間の分だけ軸部を介して上片が降下することとなり、下片を取付部材に取付けると上片が降下する固定部材を確実に具現化することができ、上述した作用効果を奏する固定部材とすることができる。
【００２３】
なお、下片を、軸部から遠ざかるほど上下方向の厚さを厚くするようにし、厚くなった先端を当接部とするようにしても良く、これにより、取付部材に取付けることで、下片の中央（軸部の位置）が下がり、相対的に下片の先端（当接部）が上がるので、上片と当接部とで板状モジュールをより強く挟むことができ、板状モジュールを確実に固定することができる。
【００２４】
本発明に係る固定部材は、上記の構成に加えて、「前記下片の前記軸部を挟んで両側に形成され上下方向へ貫通した貫通孔と、該貫通孔へ下側から挿入され、前記取付孔を介して前記下片を取付部材に取付けると、上端が板状モジュールの下面に突き刺さる突刺部を有した補助固定部とを更に具備する」構成としても良い。
【００２５】
ここで、「補助固定部」としては、「軸部を挟んで両側に形成された貫通孔に夫々挿入される突刺部が下片の下側で一体的に連結されたもの」、「軸部を挟んで両側に形成された貫通孔に挿入される突刺部が夫々独立しているもの」、「軸部を挟んで両側に形成された貫通孔に夫々挿入される突刺部が下片の下側で一体的に連結されると共に、下片の底面を取付部材から遠ざかる方向へ付勢する弾性部を有したもの」、等を例示することができる。
【００２６】
これにより、固定部材を取付部材へ取付けると、下片の貫通孔に挿入された補助固定部の突刺部が板状モジュールの下面に突き刺さるので、補助固定部によっても板状モジュールがガタ付いたり固定部材の延びた方向へスライドしたりするのを防止することができ、板状モジュールを確実に固定することができる。
【００２７】
なお、補助固定部を、軸部を挟んだ両側の貫通孔に夫々挿入される突刺部を下片の下側で一体的に連結すると共に導電性を有するようにしても良く、これにより、補助固定部を通じて軸部の両側に固定された板状モジュール同士を電気的に接続することができ、板状モジュール同士のアース接続を簡単に行うことができる。また、表面に絶縁性の被膜を有した板状モジュールでも、補助固定部の突刺部が突刺されることで、被膜を破ることができ、太陽電池モジュール等の板状モジュール同士を、確実に電気的に接続してアース接続することができる。
【発明の効果】
【００２８】
このように、本発明によると、太陽電池モジュール等の板状モジュールを確実に固定することができると共に汎用性の高い固定部材を提供することができる。
【図面の簡単な説明】
【００２９】
【図１】本発明の一実施形態である固定部材を用いて板状モジュールを取付部材に固定した状態を示す斜視図である。
【図２】図１の要部を示す側面図である。
【図３】図１の固定部材を用いた板状モジュールの固定方法を示す説明図である。
【図４】本発明に係る固定部材の他の実施形態を示す断面図である。
【図５】本発明に係る固定部材の更に異なる実施形態を示す断面図である。
【図６】本発明に係る固定部材の更に異なる実施形態を示す断面図である。
【図７】本発明に係る固定部材の更に異なる実施形態を示す断面図である。
【図８】本発明に係る固定部材の更に異なる実施形態を示す断面図である。
【図９】本発明に係る固定部材の更に異なる実施形態を示す断面図である。
【発明を実施するための形態】
【００３０】
本発明の一実施形態である固定部材について、図１乃至図３に基いて詳細に説明する。図１は、本発明の一実施形態である固定部材を用いて板状モジュールを取付部材に固定した状態を示す斜視図である。図２は、図１の要部を示す側面図である。図３は、図１の固定部材を用いた板状モジュールの固定方法を示す説明図である。
【００３１】
本実施形態の固定部材１０は、図示するように、板状の太陽電池パネル２の外周を枠体３で囲った太陽電池モジュール４等の板状モジュール１を、屋根材等の取付部材５上に設置するためのものであり、ビスやボルト等の所定の締結部材６によって取付部材５へ取付けられるようになっている。本例の固定部材１０は、板状モジュール１の上面に当接可能とされ、左右方向へ延びた上片１１と、上片１１の中央から下方へ延出した軸部１２と、軸部１２の下端から両側へ上片１１よりも大きく延びた下片１３と、下片１３の軸部１２を挟んで一方側に形成され上下方向へ貫通した取付孔１４と、を備えている。固定部材１０は、軸部１２を挟んで上片１１及び下片１３が夫々左右に略均等に延びだしており、長手方向から見ると、上辺の短い略エ字状に形成されている。
【００３２】
また、固定部材１０は、下片１３における取付孔１４の上部に、取付孔１４を通して取付部材５にねじ込まれる締結部材６の頭部を収容可能な凹部１５を備えている。この固定部材１０は、下片１３が軸部１２から遠ざかるほど上下方向の厚さが厚くなるように形成されており、軸部１２から遠ざかった先端上部が板状モジュール１の下面と当接する当接部１３ａとされている。また、固定部材１０は、図３（Ａ）に示すように、取付部材５に取付ける前の状態では、下片１３の底面１３ｂが、軸部１２の直下が最も高くなるように湾曲した状態となっている。なお、取付部材５へ取付ける前の状態では、下片１３の上面が、先端へ向かうほど低くなるようになっており、上片１１と下片１３との間に板状モジュール１を挿入し易くなっている。
【００３３】
本例の固定部材１０は、アルミ合金等の金属を素材とした押出型材とされており、同一断面形状で長尺状に形成したものを適宜長さ（本例では、１００ｍｍ〜２００ｍｍ）に切断して、取付孔１４や凹部１５等を長手方向に１つ〜３つ形成したものである。因みに、板状モジュール１は、一般市販品とされ、固定部材１０により固定される長辺の長さが、９００ｍｍ〜２０００ｍｍとされている。
【００３４】
次に、本例の固定部材１０を用いた板状モジュール１の固定方法について説明する。まず、例えば、取付部材５上の所定位置に描かれたケガキ線に沿って固定部材１０を載置した上で、取付孔１４にビスやボルト等の締結部材６を挿入し、固定部材１０における下片１３の底面１３ｂが取付部材５の上面と一致するまで締結部材６を取付部材５へねじ込む。そして、取付けた固定部材１０の上片１１と下片１３との間に板状モジュール１の一方の側面を挿入した上で、板状モジュール１の対向する他方の側面に、新たな固定部材１０を挿入する。具体的には、固定部材１０における軸部１２を挟んで取付孔１４が形成された一方側とは反対側の上片１１と下片１４との間に板状モジュール１の他方の側面が位置するように固定部材１０を挿入し、固定部材１０を取付部材５上に載置する（図３（Ａ）を参照）。
【００３５】
この状態では、固定部材１０の底面１３ｂが湾曲した状態となっており、下片１３の両端が取付部材５の上面と当接し、底面１３ｂと取付部材５の上面との間で軸部１２の直下が最も大きくなるような隙間が形成された状態となっている。そして、固定部材１０の上側から締結部材６を取付孔１４に挿入した上で、締結部材６を取付部材５へねじ込むことで、締結部材６の頭部が下降して凹部１５内へ進入し、頭部が凹部１５の底に当接すると、底面１３ｂが湾曲した下片１３が締結部材６の頭部によって下方へ押されることとなる。これにより、湾曲した下片１３の底面１３ｂが延びる方向へ変形し、締結部材６（頭部）の下降と共に、下片１３を介して軸部１２及び上片１１が下降する。
【００３６】
そして、下片１３の底面１３ｂにおける軸部１２の直下が取付部材５の上面と当接すると、湾曲した底面１３ｂが取付部材５の上面に沿った形状（ここでは、略直線状）となると共に下片１３を介した軸部１２及び上片１１の下降が停止する。この時、上片１１が下降することで板状モジュール１の上面と当接すると共に、下片１３における軸部１２の直下の中央が下降することで、相対的に下片１３の先端の当接部１３ａが上昇して板状モジュール１の下面と当接し、板状モジュール１が上片１１と下片１３の当接部１３ａとで上下方向に挟持された状態となり、板状モジュール１の他方の側面が固定された状態となる（図３（Ｂ）を参照）。
【００３７】
続いて、軸部１２を挟んで取付孔１４とは反対側で一つ目の板状モジュール１を固定した固定部材１０に対し、軸部を挟んで取付孔１４側の上片１１と下片１３との間に、別の板状モジュール１における一方の側面を挿入する。この時、図３（Ｂ）に示すように、板状モジュール１を取付部材５の上面に対して斜めに傾けた状態で、下片１３の上面に沿ってスライドさせるように側面を挿入した上で、板状モジュール１を、その上面が先に固定した板状モジュール１の上面と略同一面状となるように位置させる。これにより、下降した上片１１と、下片１３との間に板状モジュール１を少ない力で挿入することができる。
【００３８】
そして、板状モジュール１の一方の側面を固定部材１０に固定（支持）させたら、板状モジュール１の他方の側面に、新たな固定部材１０を挿入し、その固定部材１０を上述と同様に取付部材５へ取付けることで、二つ目の板状モジュール１を固定することができ、複数の板状モジュール１を一方側から他方側へ向かって順次固定することができる。
【００３９】
このように、本実施形態の固定部材１０によると、下片１３に形成された取付孔１４を介してビスやボルト等の締結部材６により下片１３を取付部材５に取付けると、軸部１２と共に上片１１が下降して上片１１と下片１３の当接部１３ａとで板状モジュール１を上下方向に挟んで固定することができるので、板状モジュール１がガタ付いたり、固定部材１０の延びる方向へスライドしてしまったりするのを防止することができ、板状モジュール１を確実に固定することができる。
【００４０】
また、上片１１よりも下片１３が大きく延び出しており、固定部材１０を取付部材５へ取付けた状態で、軸部１２を挟んで取付孔１４側の上片１１と下片１３との間に板状モジュール１を斜めにしながら挿入して押し込むことで、軸部１２を挟んで取付孔１４側でも板状モジュール１を挟んで固定することができるので、軸部１２を挟んで両側に板状モジュール１を固定することができ、複数の板状モジュール１を一方側から他方側へ順次固定することで板状モジュール１の設置に係る手間を簡略化することができると共に、設置に係るコストを低減させることができる。
【００４１】
更に、固定部材１０の上片１１と下片１３の当接部１３ａとで板状モジュール１を挟んで固定することができるので、傾斜した屋根上等、板状モジュール１を傾斜させた状態で設置しても、板状モジュール１の上下両側を夫々固定部材１０によって支持することができ、一方（下側）の固定部材１０のみに荷重が偏るのを抑制して偏荷重により固定部材１０が変形したり破損したりするのを防止することができる。
【００４２】
以上、本発明について好適な実施形態を挙げて説明したが、本発明はこの実施形態に限定されるものではなく、以下に示すように、本発明の要旨を逸脱しない範囲において、種々の改良及び設計の変更が可能である。
【００４３】
すなわち、上記の実施形態では、固定部材１０の下片１３が、軸部１２から遠ざかるほど上下方向の厚さが厚くなるものを示したが、これに限定するものではなく、例えば、図４に示すような固定部材２０としても良い。なお、基本的な構成については上記の実施形態と同一の名称を付し、詳細な説明は省略する。この固定部材２０は、上片２１及び軸部２２が上記の実施形態と同様の形態となっているのに対し、下片２３が異なる形態となっている。具体的には、下片２３は、軸部２２から左右方向へ一定厚さで上片２１よりも大きく延びた上で、先端が一旦所定量上方へ延出した上で上端から左右方向外方（軸部２２から遠ざかる方向）へ取付部材５の上面と略平行に延びだした形態とされており、その延びだした上面が当接部２３ａとされている。
【００４４】
なお、下片２３における軸部２２を挟んで一方側（図中、右側）で軸部２２と当接部２３ａとの間に上下方向に貫通した取付孔２４が形成されていると共に、下片２３における当接部２３ａから軸部２２までの上面側の間が当接部２３ａよりも凹んだ形態となっており、締結部材６の頭部等を収容可能な凹部２５とされている。この固定部材２０もまた、取付部材５へ取付ける前の状態では、下片２３の底面２３ａが軸部２２の直下が最も高くなるように湾曲しており、上記の固定部材１０と同様の作用効果を奏することができる。
【００４５】
また、上記の実施形態では、板状モジュール１として、側面が平坦なものに対応した固定部材１０，２０を示したが、これに限定するものではなく、例えば、図５に示すような、側面から外方へ延出した固定用のフランジ部３ａを有した板状モジュール１と対応した固定部材２０Ａとしても良い。この固定部材２０Ａは、図示するように、図４に示した固定部材２０における上片２１が、左右両端に下方へ突出し板状モジュール１のフランジ部３ａの上面と当接可能な突出部２１ａを備えた形態とされているものである。この固定部材２０Ａによると、側面にフランジ部３ａを備えた板状モジュール１にも対応することができ、上記と同様の作用効果を奏することができる。また、突出部２１ａがフランジ部３ａの上面に突き刺さるようにしても良く、これにより、軸部２２を挟んで両側に配置された板状モジュール１同士を電気的に接続することができる。
【００４６】
更に、上記の実施形態では、固定部材１０，２０，２０Ａの上片１１，２１と下片１３，２３の当接部１３ａ，２３ａとで板状モジュール１を挟むのみのものを示したが、これに限定するものではなく、図６及び図７に示すような板状モジュール１の固定を補助する補助固定部３０，３０Ａを更に備えるようにしても良い。まず、図６に示す固定部材１０Ａは、上記の固定部材１０の構成に加えて、下片１３の軸部１２を挟んで両側に夫々上下方向へ貫通した貫通孔１６を備えていると共に、各貫通孔１６へ下側から挿入される挿入片３１及び挿入片３１の上端に形成され先端が尖った突刺部３２を有する補助固定部３０を備えている。この例の補助固定部３０は、一対の挿入片３１の下端同士が連結片３３によって連結されており、図示するように略コ字状に形成されている。また、この補助固定部３０は、ステンレス鋼板等の金属板材を折り曲げたものであり、詳細な図示は省略するが、上端の長手方向両端に上方へ尖った突刺部３２が形成されている。
【００４７】
この例によると、固定部材１０Ａにおける下片１３の湾曲した底面１３ｂが取付部材５の上面と略一致するように取付孔１４を介した締結部材６をねじ込んで、固定部材１０Ａを取付部材５に取付けると、貫通孔１６に挿入された補助固定部３０の突刺部３２が相対的に下片１３の上面から上方へ突出して板状モジュール１の下面に突き刺さるようになっている（図６（Ｂ）を参照）。これにより、上片１１と下片１３の当接部１３ａとによる挟持に加えて、補助固定部材３０の突刺部３２が板状モジュール１の下面に突き刺さることで、補助固定部３０によっても板状モジュール１がガタ付いたり、固定部材１０Ａの延びた方向や軸部１２から遠ざかる方向へスライドしたりするのを防止することができ、板状モジュール１を確実に固定することができる。また、補助固定部材３０は、導電性を有するステンレス鋼板により形成されているので、軸部１２を挟んで両側に固定された板状モジュール１同士を電気的に接続することができ、板状モジュール１同士のアース接続を簡単に行うことができる。
【００４８】
一方、図７に示す固定部材２０Ｂは、上記の図４に示した固定部材２０の構成に対して、取付部材５に取付ける前の状態でも下片２３の底面２３ｂを平坦な状態とした上で、下片２３の軸部２２を挟んで両側に夫々上下方向へ貫通した貫通孔２６を備えていると共に、各貫通孔１６へ下側から挿入される挿入片３１と突刺部３２を有した補助固定部３０Ａを備えている。この例の補助固定部３０Ａは、図示するように、軸部２２を挟んで取付孔２４側の貫通孔２６に挿入される挿入片３１の下端から、連結片３３と同一面状に軸部２２から遠ざかる方向へ延びた延長片３４と、延長片３４の先端から斜め下方へ屈曲された弾性片３５とを更に備えている。
【００４９】
この例の固定部材２０Ｂは、図７（Ａ）に示すように、固定部材２０Ｂを取付部材５に取付ける前の状態では、下片２３の下側に配置された補助固定部３０Ａの弾性片３５により、下片２３の底面２３ａが、軸部２２を挟んで取付孔２４（弾性片３５）とは反対側の先端が取付部材５の上面に当接するだけで、取付孔２４側の先端は取付部材５の上面から浮いた状態となるようになっている。この状態で、軸部２２を挟んで取付孔２４とは反対側の上片２１と下片２３との間に板状モジュール１を挿入した上で、取付孔２４を介して締結部材６をねじ込むと、屈曲した弾性片３５が延長片３４と同一面となるように展開すると共に、挿入片３１の上端の突刺部３２が板状モジュール１の下面に突き刺さることとなり（図７（Ｂ）を参照）、上記と同様の作用効果を奏することができる。
【００５０】
更に、図６や図７の実施形態では、補助固定部３０，３０Ａにおける両側の突刺部３２が、板状モジュール１の下面に夫々突き刺さるものを示したが、これに限定するものではなく、例えば、図８に示すように、軸部１２を挟んで取付孔１４側の突刺部３２が板状モジュール１の側面に突き刺さるようにしても良い。この固定部材１０Ｂは、図６の固定部材１０Ａに対して、軸部１２を挟んで取付孔１４側の貫通孔１６が、軸部１２の根元の位置に形成されていると共に、補助固定部３０Ｂにおける取付孔１４側の貫通孔１６に挿入される挿入片３１が軸部１２に沿って上方へ大きく延びだした上で、その挿入片３１の上端から左右方向（図中右方向）へ尖るように突刺部３２が形成されている。
【００５１】
この例の固定部材１０Ｂによると、上記と同様の作用効果を奏する他に、軸部１２を挟んで取付孔１４側の上片１１と下片１３との間に板状モジュール１を挿入する際に、下片１３の貫通孔１６から上方へ突出した挿入片３１や突刺部３２が邪魔になるのを回避させることができ、板状モジュール１を挿入し易くすることができる。
【００５２】
また、上記の実施形態では、固定部材１０，２０の上片１１，２１が板状モジュール１の上面に当接するものを示したが、これに限定するものではなく、例えば、図９に示すように、側面に溝３ｂが形成された板状モジュール１に対して、その側面の溝３ｂ内に固定部材１０Ａの上片１１を挿入させると共に、上片１１を溝３ｂの上部に当接させて、下片１３の当接部１３ａとの間で挟むようにしても良く、これによっても上記と同様の作用効果を奏することができる他に、上片１１が板状モジュール１の上面に露出しないので、板状モジュール１の上面側の見栄えを良くすることができる。
【００５３】
また、上記の実施形態では、締結部材６として、ビスやボルト等の頭部を有し下片１３，２３の上側から取付孔１４，２４を介して取付部材５へねじ込むものを示したが、これに限定するものではなく、例えば、取付部材５側から雄ねじ部を突出させた上で、その雄ねじ部を取付孔１４，２４へ挿通させ、下片１３，２３の上側から雄ねじ部へ螺合させるナットとしても良く、これによっても上記と同様の作用効果を奏することができる。
【００５４】
更に、図１乃至図６、図８及び図９の実施形態では、固定部材１０，２０を取付ける取付部材５の締結部材６がねじ込まれる部位がねじ孔又はビス孔のものを示したが、これに限定するものではなく、例えば、図７に示すように、ナット５ａとしても良く、上記と同様の作用効果を奏することができる。なお、締結部材６を取付部材５のナット５ａへねじ込むようにした場合、ナット５ａを軸部１２，２２に対して直角方向（図中、左右方向）へスライドできるようにしても良く、これにより、固定部材１０，２０の取付位置を調整することができ、板状モジュール１の設置に係る作業性を高めることができる。
【符号の説明】
【００５５】
１  板状モジュール
２  太陽電池パネル
３  枠体
３ｂ  溝
４  太陽電池モジュール
５  取付部材
５ａ  ナット
６  締結部材
１０，１０Ａ，１０Ｂ，１０Ｃ，２０，２０Ａ，２０Ｂ  固定部材
１１，２１  上片
１２，２２  軸部
１３，２３  下片
１３ａ，２３ａ  当接部
１３ｂ，２３ｂ  底面
１４，２４  取付孔
１５，２５  凹部
１６，２６  貫通孔
２１ａ  突出部
３０，３０Ａ，３０Ｂ  補助固定部
３１  挿入片
３２  突刺部
３３  連結片
３４  延長片
３５  弾性片
【先行技術文献】
【特許文献】
【００５６】
【特許文献１】特開２００７−１６５４９９号公報
【図１】
0005501125.tif 000002
【図２】
0005501125.tif 000003
【図３】
0005501125.tif 000004
【図４】
0005501125.tif 000005
【図５】
0005501125.tif 000006
【図６】
0005501125.tif 000007
【図７】
0005501125.tif 000008
【図８】
0005501125.tif 000009
【図９】
0005501125.tif 000010